(57)【要約】【課題】  画像通話の際に、端末機に具備される表示装置を適切に活用することにより、容易に画像通話でき、音声通話において便利に用いることができ、端末機上に提供されたディスプレー装置を活用して画像通話モードでも容易に用いることができる携帯用端末機を提供する。【解決手段】  携帯用無線端末機３００は、第１のハウジング３０１と、第１のハウジングとの対向面に表示装置３２１が設けられ、第１のハウジングに回動可能に結合される第２のハウジング３０２と、一の主面３３０に補助表示装置３２９が設けられ、各主面３３０，３３２を反転させることができるように第２のハウジング３０２の端部３２５に回転可能に結合された第３のハウジング３２０と、を備える。【選択図】  図３
2005198314.tif 000002
【特許請求の範囲】
【請求項１】
第１のハウジングと、
前記第１のハウジングとの対向面に表示装置が設けられ、前記第１のハウジングに回動可能に結合される第２のハウジングと、
一の主面に補助表示装置が設けられ、各主面を反転させることができるように前記第２のハウジングの端部に回転可能に結合された第３のハウジングと、
を備えることを特徴とする携帯用無線端末機。
【請求項２】
前記第３のハウジングに内蔵され、前記第３のハウジングの他の主面から音響を出力するスピーカー装置をさらに備えること
を特徴とする請求項１記載の携帯用無線端末機。
【請求項３】
前記端末機は、画像通話機能を提供し、前記補助表示装置は、画像通話中に、前記表示装置と同一の方向に使用者の姿を表示すること
を特徴とする請求項１記載の携帯用無線端末機。
【請求項４】
前記第２のハウジングの端部面に形成されたヒンジホールと、
前記第３のハウジングの一端部面に前記ヒンジホールに相応するように形成されたヒンジ突起と、が具備され、
前記第３のハウジングは、前記第２のハウジングの回転軸に対して直交方向へ延びる回転軸を中心として回転すること
を特徴とする請求項１記載の携帯用無線端末機。
【請求項５】
前記第２のハウジングの端部両側から各々延長されるヒンジアームと、
前記ヒンジアームの端部に各々形成されるヒンジホールと、
前記第３のハウジングの両側面に各々前記ヒンジホールに相応するように形成されるヒンジ突起と、が具備され、
前記第３のハウジングは、前記第２のハウジングの回転軸に対して水平方向へ延びる回転軸を中心として回転することを特徴とする請求項１記載の携帯用無線端末機。
【請求項６】
前記第３のハウジングを回転させてその前後面を反転させるための駆動力を供給する駆動モーターをさらに備えること
を特徴とする請求項１記載の携帯用無線端末機。
【請求項７】
第１のハウジングと、
前記第１のハウジングとの対向面に位置される第１のディスプレー装置を有し、第１の端部が前記第１のハウジングに回動可能に結合される第２のハウジングと、
第２のディスプレー装置を表側主面に有し、該表側主面が前記第１のディスプレー装置と相対的に回転するように前記第２のハウジングの第２の端部に回転可能に結合される第３のハウジングと、
を備えることを特徴とする携帯用無線端末機。
【請求項８】
前記第３のハウジングは、前記第２のハウジングに結合され、その表側又は裏側の主面が前記第１のディスプレー装置と同一平面の位置となるように反転可能に構成されること
を特徴とする請求項７記載の携帯用無線端末機。
【請求項９】
前記第３のハウジングは、前記第２のハウジングに結合され、前記第２のディスプレー装置が前記第１のディスプレー装置に対して傾斜した位置となるように構成されること
を特徴とする請求項７記載の携帯用無線端末機。
【請求項１０】
前記第３のハウジングに収容され、前記第３のハウジングの裏側面を介して音響を出力するスピーカー装置をさらに備えること
を特徴とする請求項７記載の携帯用無線端末機。
【請求項１１】
前記端末機は、画像通話機能を提供し、画像通話中に、前記第２のディスプレー装置が前記第１のディスプレー装置と同一の方向に使用者の画像を表示するように適合されること
を特徴とする請求項７記載の携帯用無線端末機。
【請求項１２】
前記第２のハウジングの端部面に形成されたヒンジホールと、
前記第３のハウジングの一端に突出形成されて前記ヒンジホールに回転可能に結合されるヒンジ突起と、
をさらに備えることを特徴とする請求項７記載の携帯用無線端末機。
【請求項１３】
前記第３のハウジングは、前記第１のハウジングと第２のハウジングとの間の回転軸に対して直交方向へ延びる回転軸を中心として回転すること
を特徴とする請求項７記載の携帯用無線端末機。
【請求項１４】
前記第２のハウジングの端部の両側から各々延設されるヒンジアームと、前記ヒンジアームの端部内側に各々形成されるヒンジホールと、前記第３のハウジングの両側面に各々形成されて前記ヒンジホールに回転可能に結合されるヒンジ突起と、を備えることにより、前記第３のハウジングは、前記第２のハウジングの回転軸に対して平行とされた他の回転軸を中心として回転すること
を特徴とする請求項７記載の携帯用無線端末機。
【請求項１５】
前記第３のハウジングを回転させて、その表側主面と裏側主面とを反転させるための駆動力を供給する駆動装置をさらに備えること
を特徴とする請求項７記載の携帯用無線端末機。
【請求項１６】
第１のハウジングと、
第１のディスプレー装置を有し、前記第１のハウジングに回動可能に結合される第２のハウジングと、
第２のディスプレー装置を有し、前記第２のハウジングに結合され、前記第２のハウジングを横切る回転軸を中心として回転することにより、前記第２のディスプレー装置の可視領域を反転させる第３のハウジングと、を含むことを特徴とする携帯用無線端末機。
【請求項１７】
前記第２のハウジングは、前記第１のハウジングに対して、第１の軸に沿って回動可能に結合され、
前記第３のハウジングは、前記２のハウジングに対して、前記第１の軸に平行とされかつ該軸から所定間隔で離隔される第２の軸に沿って回転可能に結合されたこと
を特徴とする請求項１６記載の携帯用無線端末機。
【請求項１８】
前記第２のハウジングは、前記第１のハウジングに対して、第１の軸に沿って回動可能に結合され、
前記第３のハウジングは、前記２のハウジングに対して、前記第１の軸と実質的に直交する第２の軸に沿って回転可能に結合されたこと
を特徴とする請求項１６記載の携帯用無線端末機。
【請求項１９】
前記第２のハウジングに相対する前記第２のディスプレー装置に回転のための駆動力を供給する駆動装置をさらに備えることを特徴とする請求項１６記載の携帯用無線端末機。
【発明の詳細な説明】
【技術分野】
【０００１】
本発明は、携帯用無線端末機に関し、より詳しくは、ＬＣＤ(liquid crystal display)などの表示装置の前後面が反転可能に具備される携帯用無線端末機に関する。
【背景技術】
【０００２】
情報通信産業の発達に伴って、多様な機能と外観を有する携帯用無線端末機が市場に現れ始めている。携帯用無線端末機の形態は、その外形によって、バー型(bar type)端末機と、バー型端末機にフリップカバー(flip cover)が結合されたフリップ型(flip type)端末機と、一対のハウジングが相互に回動することにより所定角度で開閉可能になるように結合されたフォルダ型(folder type)端末機などに分類され、この内、最近の携帯用無線端末機の市場では、小型化に有利なフォルダ型端末機が主流となっている実情である。
【０００３】
一般的なフォルダ型端末機は、ディスプレー装置とスピーカーとが具備されたフォルダと、フォルダに回動可能に結合される本体と、を備える。この本体の側面には、フォルダが該本体と折り重なるように閉じられた場合に音響を出力するポートが具備される。
【０００４】
他の一般的なフォルダ型端末機の形態もまた、フォルダと、フォルダに回動可能に結合される本体と、を備えた構成とされる。そして、フォルダが回動して本体の内側主面から遠ざかるように開かれた際に、フォルダの内側主面に設けられたメインディスプレー装置は、作動状態で露呈される。このメインディスプレー装置が本体の対向する内側主面上に位置されて端末機が閉鎖された際に、送受信状態，バッテリー残量，及び時間などの概略的な情報を表示するために、補助ディスプレー装置がフォルダの外側主面に別個に設けられる。
【０００５】
一方、最近では、携帯用無線端末機を用いたサービス領域が拡大されることによって、端末機の機能は、マルチメディアサービス等を組み込むことができるように向上されている。その中でも、カメラレンズが採用されながら携帯用無線端末機にカメラ機能を搭載することが一般化され、さらには、サービス・プロバイダにより、これらの携帯用無線端末機を用いて画像通話サービスを提供することが一般化されている。
【０００６】
図１は、従来技術による携帯用無線端末機の一例を示す斜視図である。
【０００７】
図１に示されるように、従来技術の一実施形態による携帯用無線端末機１００は、本体１０１と、この本体１０１に回転可能に結合され、回転軸Ａを中心として回動することにより開閉されるフォルダ１０２と、で構成される。
【０００８】
ここで、フォルダ１０２には、表示装置１２１が設けられるとともに、この表示装置１２１の近傍の一端側にはスピーカー装置１２３が具備される。
【０００９】
また、フォルダ１０２が閉まった状態でベルなどの各種信号音を出力するために、このフォルダ１０２の側面或いは上部(図示せず)に貫通ホール１２５を形成することができる。
【００１０】
図２は、従来技術による携帯用無線端末機の他の代表的な例を示す斜視図である。
【００１１】
図２に示されるように、従来技術の他の具体例による携帯用無線端末機２００は、本体２０１と、この本体２０１に回転可能に結合され、回転軸Ａを中心として回動することにより開閉されるフォルダ２０２と、で構成される。
【００１２】
ここで、フォルダ２０２には、表示装置２２１が設けられるとともに、この表示装置２２１の近傍の一端側にはスピーカー装置２２３が具備される。
【００１３】
また、フォルダ２０２が閉まった状態で、スピーカー装置２２３からのベルなどの各種信号音を出力するために、フォルダ２０２の外部面にはスピーカーホール２２５が形成される。
【００１４】
また、フォルダ２０２は、本体２０１に対して閉じられた状態でも、信号の送受信状態，バッテリー残量，及び現在時刻などの概略的な情報を表示できるようにするための補助表示装置２２９を、その外側面に設けることができる。
【００１５】
しかしながら、上述のような従来の携帯用無線端末機は、携帯性を考慮して表示装置の面積が限定されるので、画像通話に用いるのには多少不便となる問題点がある。
【００１６】
さらに、使用者が画像で表示される自分の姿を確認しながら通話するために、少なくとも自分の姿を表示装置上に表示されるように設定した場合には、画像通話が一層不便になるだけでなく、使用者自身の姿が表示された画像によって相手の姿が遮られてしまい、これにより画像通話の機能を適切に利用することができない問題点がある。
【発明の開示】
【発明が解決しようとする課題】
【００１７】
本発明は、上述のような従来技術の問題点を解決するためになされたものであり、その目的は、画像通話する際に、端末機に具備される表示装置を適切に活用することにより、容易に画像通話できる携帯用無線端末機を提供することにある。
【００１８】
また、本発明の他の目的は、音声通話において便利に用いることができるだけではなく、端末機上に提供されたディスプレー装置を活用して画像通話モードでも容易に用いることができる携帯用端末機を提供することにある。
【課題を解決するための手段】
【００１９】
上記目的を達成するために本発明の携帯用無線端末機は、第１のハウジングと、前記第１のハウジングとの対向面に表示装置が設けられ、前記第１のハウジングに回動可能に結合される第２のハウジングと、一の主面に補助表示装置が設けられ、各主面を反転させることができるように前記第２のハウジングの端部に回転可能に結合された第３のハウジングと、を備える。
【００２０】
また、本発明の携帯用無線端末機の他の主たる構成は、第１のハウジングと、前記第１のハウジングとの対向面に位置される第１のディスプレー装置を有し、第１の端部が前記第１のハウジングに回動可能に結合される第２のハウジングと、第２のディスプレー装置を表側主面に有し、該表側主面が前記第１のディスプレー装置と相対的に回転するように前記第２のハウジングの第２の端部に回転可能に結合される第３のハウジングと、を備える。
【００２１】
さらに、本発明の携帯用無線端末機の他の主たる構成は、第１のハウジングと、第１のディスプレー装置を有し、前記第１のハウジングに回動可能に結合される第２のハウジングと、第２のディスプレー装置を有し、前記第２のハウジングに結合され、前記第２のハウジングを横切る回転軸を中心として回転することにより、前記第２のディスプレー装置の可視領域を反転させる第３のハウジングと、を含む。
【００２２】
望ましくは、第３のハウジングの第２のハウジングに対する回転可能な角度は、双方のハウジングを連結する回転軸を中心として補助表示装置（第２のディスプレー装置）に回転を供給するために、少なくとも１８０度以上、より好ましくは３６０度以上とする。
【発明の効果】
【００２３】
本発明による回転式表示装置が具備された携帯用無線端末機によれば、端末機の外側に向けるように設けられた補助表示装置が回転可能に構成されることにより、第２のハウジングが開放された状態であっても、補助表示装置を用いて使用者の方向に画像を表示することができるようになる。したがって、使用者は、画像通話を行う際に、端末機に設けられた補助表示装置の位置を適切に設定することにより、補助表示装置の利便性が高められ、画像通話を快適に行うことが可能となる。
【００２４】
また、本発明によれば、今後、端末機の機能を一層多様に拡張させる際において、端末機上に設けられる表示装置についての種々の制限を回避することが可能となる。
【発明を実施するための最良の形態】
【００２５】
以下、本発明の好適な一実施形態について添付図面を参照しつつ詳細に説明する。下記の説明において、本発明の要旨を不明瞭にすると判断される場合には、関連した公知機能又は構成に関する具体的な説明は省略する。
【００２６】
図３は、本発明の好ましい実施形態による回転式表示装置が具備された携帯用無線端末機を示す分離斜視図である。
【００２７】
図３に示されるように、本発明の好ましい実施形態による回転式の表示装置３２９が具備された携帯用無線端末機３００は、第１のハウジング３０１と、この第１のハウジング３０１に回動（開閉）可能に結合される第２のハウジング３０２と、この第２のハウジング３０２に回転可能に結合される第３のハウジング３２０と、を備える。すなわち、第１のハウジング３０１，第２のハウジング３０２，及び第３のハウジング３２０は、携帯用無線端末機３００を形成するように一体をなして、それぞれ動作可能に接続される。
【００２８】
第２のハウジング３０２には、その内側面に設けられた凹陥溝に装着された表示装置３２１が、該ハウジング３０２と略面一に配置される。また、第３のハウジング３２０は、その下端面３２６が第２のハウジング３０２の上端面３２５にほぼ接する形態で、第２のハウジング３０２に回転可能に結合される。通常の使用状態では、第２のハウジング３０２の上端面３２５は、第３のハウジング３２０の下端面３２６と近接位置する。また、通常の使用状態では、第３のハウジング３２０のいずれかの主面３３０，３３２が表示装置３２１と同一平面（面一）の位置となる。
【００２９】
第３のハウジング３２０は、その内部にスピーカー装置が設けられ、その裏側面（第一の主面）３３２には一又はそれ以上のスピーカーホール３２３が形成され、その反対側の表側面（第二の主面）３３０には、補助表示装置３２９が該ハウジング３２０と略面一に設けられている。また、第１のハウジング３０１には、アンテナ装置３１２が該ハウジング３０１から延長されるように設けられている。
【００３０】
典型的には、第１のハウジング３０１が例えばアンテナ，オーディオ増幅器，無線周波数増幅器，さらには一又は複数の無線周波数回路の構成要素を格納するとともに、この第１のハウジング３０１の主面は、使用者の操作に対応して携帯用無線端末機を動作するために、キーパッド(３１０)のような無線通信機能を提供する。
【００３１】
第２のハウジング３０２は、表示装置３２１と、カメラレンズ３０４とを備える。カメラレンズ３０４は、第２のハウジング３０２の下端であって、ヒンジ３０８の２つのナックル３０６の間に位置され、第１のハウジング３０１と第２のハウジング３０２との双方に対して回転可能に結合される。このカメラレンズ３０４は、第２のハウジング３０２のヒンジ３０８及びナックル３０６の回転中心から延長される回転軸Ａ１を中心として、回転可能に設けることができる。
【００３２】
第２のハウジング３０２が回転軸Ａ１を中心として閉じた状態まで回転した場合には、第３のハウジング３２０の第一の主面３３２又は第二の主面３３０が第１のハウジング３０１の内側面と対面するように位置され、第３のハウジング３２０の上端面３２７が第１のハウジング３０１の下端面３０３と同一平面（面一）の状態に整えられる。第２のハウジング３０２がこの閉じられた位置にある場合には、スピーカーホール３２３又は補助表示装置３２９のスクリーンのいずれかが外部に視覚的に露出される。
【００３３】
第３のハウジング３２０は、その下端面３２６に形成されたヒンジ突起３３１を第２のハウジング３０２の上端面３２５のヒンジホール(図示せず)に回転可能に結合させることにより、第２のハウジング３０２に対して回転可能とされる。そのため、第３のハウジング３２０は、第２のハウジング３０２の回転軸Ａ１との垂直（直交）方向に延長される回転軸Ａ３を中心として回転可能となる。
【００３４】
第３のハウジング３２０の表側面（第二の主面）３３０には、表示装置３２１よりも相対的にそのサイズが小さい補助表示装置３２９が設けられる。第２のハウジング３０２が第１のハウジング３０１上に閉まった状態では、補助表示装置３２９は、端末機３００の状態情報などの概略的な情報を視覚的に表示することで、ユーザがこれを確認することができるようになる。また、第３のハウジング３２０が回転軸Ａ３を中心として回転可能に構成されることにより、補助表示装置３２９は、第２のハウジング３０２が第１のハウジング３０１から遠ざかる方向に回動して開かれた状態になっても、第３のハウジング３２０を回転させて、表示装置３２１と同一方向とする通常の使用状態、或いは表示装置３２１に対して傾斜させた状態とすることで、表示装置３２１とともに使用者に所定の情報を提供することができる。
【００３５】
このときの本発明の一の適用例としては、カメラレンズ３０４を用いて画像通話する際に、通話相手の姿は表示装置３２１上に表示させ、補助表示装置３２９上には使用者自身の姿を表示させることにより、制限のある表示装置を最大限に活用して、ユーザと相手方との間で使い勝手が良好な画像通話を実現することができる。
【００３６】
図４は、図３に示された携帯用無線端末機の第２及び第３のハウジング３０２，３２０を示す構成図であり、第３のハウジング３２０に駆動力を供給する駆動装置を示す図である。
【００３７】
図４に示すように、第２のハウジング３０２の内部には、所定の駆動モーター３３３とギアモジュール３３５とが具備される。ギアモジュール３３５は、ヒンジ突起３３１の外周面に形成されたギアと噛み合って、駆動モーター３３３の駆動力を伝達するように回転する。
【００３８】
これは、使用者の必要により端末機３００の所定のキーパッド(３１０)を操作することによって、回転軸Ａ３に対する第３のハウジング３２０の回転状態を自動で制御するための構成である。なお、他の実施形態としては、上記のような個別の駆動モーター３３３を用いずに、使用者が直接手動で第３のハウジング３２０を回転させるようにしても良い。
【００３９】
図５は、本発明の好ましい他の実施形態による回転式補助表示装置が具備された携帯用無線端末機を示す分離斜視図である。なお、上述した実施形態と同一の機能を有する部位については、冗長を避けるため適宜詳細な説明を省略する。
【００４０】
図５に示されるように、本発明の好ましい他の実施形態による回転式の補助表示装置５２９が具備された携帯用無線端末機５００は、第１のハウジング５０１と、一対のヒンジ５０８の間に配置されたナックル５０６を介して第１のハウジング５０１に回動可能に結合される第２のハウジング５０２と、を備える。
【００４１】
第２のハウジング５０２には、その内側面に設けられた凹陷溝に装着された表示装置５２１が、該ハウジング５０２の一方の主面上に配置され、また、この表示装置５２１の近傍に第３のハウジング５２０が具備される。この第３のハウジング５２０は、表示装置５２１の一端側に対して隣接し或いは空間が生じるような位置に置かれ、内部に設けられたスピーカー装置と、一の主面（裏側面）５３２を貫通する一又はそれ以上のスピーカーホール５２３と、を備える。カメラレンズ５０４は、第２のハウジング５０２の下端における２つのナックル５０６の間に位置される。また、第１のハウジング５０１には、アンテナが該ハウジング５０１から延長されるように設けられている。
【００４２】
第３のハウジング５２０は、それぞれ反対側に位置する両側面５２８の各々に、軸対称に直立して形成されたヒンジ突起５３１を備える。第２のハウジング５０２は、その端部両側の各々からヒンジアーム５２５が延長されて形成される。ヒンジアーム５２５の各々は、第２のハウジング５０２の上端面５２２を介在させて分離される。それぞれのヒンジアーム５２５の端部内側には、各々のヒンジ突起５３１と対応位置し、該突起５３１の一つを回転可能に支持するヒンジホール５３３が形成される。第３のハウジング５２０は、第２のハウジング５０２の回転軸Ａ１と離隔されているが平行に形成される回転軸Ａ２を有している。第３のハウジング５２０は、一の主面（裏側面）５３２上に形成された一つ又はそれ以上のスピーカーホール５２３により穿孔されている。
【００４３】
第３のハウジング５２０の他の主面（表側面）５３０には、表示装置５２１よりも相対的にスクリーン（可視領域）のサイズが小さい補助表示装置５２９が設けられる。補助表示装置５２９は、第２のハウジング５０２が第１のハウジング５０１上に、各主面同士が重ね合うように閉まった状態で、端末機の状態情報などの概略的な情報を確認することができるようにする。また、第３のハウジング５２０が回転軸Ａ２を中心として回転可能に構成され、表示装置５２１のスクリーンに対して通常（平行）の状態或いは傾斜した状態とすることができるので、第２のハウジング５０２が回転軸Ａ１を中心として第１のハウジング５０１から遠ざかる方向に回動して開かれたとしても、補助表示装置５２９は、表示装置５２１とともに使用者に所定の情報を提供することができる。
【００４４】
第２のハウジング５０２が回転軸Ａ１を中心として閉鎖された状態まで回転した場合には、第３のハウジング５２０の一の主面（裏側面）５３２又は他の主面（表側面）５３０が第１のハウジング５０１の内側面と重ね合わされ、第３のハウジング５２０の上端面５２７又は下端面５２６は、第１のハウジング５０１の下端面５０３と一致した状態に整えられる。第２のハウジング５０２がこのように閉鎖された位置の場合には、スピーカーホール５２３が（図５の点線参照）、又は補助表示装置５２９が外部に露出される。
【００４５】
ここで、カメラレンズ５０４を用いて画像通話する際に、通話相手の姿は表示装置５２１上に表示させ、補助表示装置５２９上には使用者自身の姿を表示させることにより、制限のある表示装置を最大限に活用して、使用者と通話相手との間で使い勝手が良好な、画像及び口頭の通信を実現することができる。また、使用者の設定によって、第３のハウジングに設けられた補助表示装置５２９は相手の姿を表示し、第２のハウジングに設けられた表示装置５２１は使用者の姿を表示することができる。
【００４６】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００４７】
【図１】従来技術による携帯用無線端末機の一例を示す斜視図である。
【図２】従来技術による携帯用無線端末機の他の構成例を示す斜視図である。
【図３】本発明の好ましい実施形態による回転式表示装置が具備された携帯用無線端末機を示す分離斜視図である。
【図４】図３に示された携帯用無線端末機の第２及び第３のハウジングを示す構成図である。
【図５】本発明の好ましい他の実施形態による回転式補助表示装置が具備された携帯用無線端末機を示す分離斜視図である。
【符号の説明】
【００４８】
３００  携帯用無線端末機
３０１  第１のハウジング
３０２  第２のハウジング
３２１  表示装置
３２０  第３のハウジング
３２９  補助表示装置
３３０，３３２  主面
【図１】
2005198314.tif 000003
【図２】
2005198314.tif 000004
【図３】
2005198314.tif 000005
【図４】
2005198314.tif 000006
【図５】
2005198314.tif 000007